(57)【要約】【課題】  本体部のレンズ部に嵌めるレンズカバーをそのままの形状を保ったままでプロジェクターの本体部の回転台として使用できて、レンズカバーでプロジェクターの本体部を自由に回転でき、従来のように、プロジェクターの本体部を配置するときにレンズカバーが下敷きになることを防ぐことができるプロジェクターを提供する。【解決手段】  本体部２のレンズ部３にレンズカバー４を嵌めるようにし、本体部の筐体６の底面の略中央部にレンズカバーが係合する凹溝７が形成され、凹溝にレンズカバーの先端に形成された係止突起４ａを係止する係止爪７ａが形成され、レンズカバーの前面に滑り止め用のゴム材５が固着されており、筐体の底面の凹溝にレンズカバーの先端を嵌め入れて係止突起と前記係止爪とを係合し、レンズカバーをゴム材が下側に位置するようにして平面部に配置した状態で本体部が前記レンズカバーに回転可能に保持される。【選択図】  図２
2007333994.tif 000002
【特許請求の範囲】
【請求項１】
本体部のレンズ部にレンズカバーを嵌めるようにしたプロジェクターにおいて、前記本体部の筐体の底面の略中央部に前記レンズカバーが係合する凹溝が形成され、この凹溝に前記レンズカバーの先端に形成された係止突起を係止する係止爪が形成され、前記レンズカバーの前面に滑り止め用のゴム材が固着されており、前記筐体の底面の前記凹溝に前記レンズカバーの先端を嵌め入れて前記係止突起と前記係止爪とを係合し、前記レンズカバーを前記ゴム材が下側に位置するようにして平面部に配置した状態で前記本体部が前記レンズカバーに回転可能に保持されるように構成したことを特徴とするプロジェクター。
【請求項２】
本体部のレンズ部にレンズカバーを嵌めるようにしたプロジェクターにおいて、前記本体部の筐体の底面の略中央部に前記レンズカバーが係合する凹溝が形成され、前記レンズカバーの前面に滑り止め部材が固着されており、前記筐体の底面の前記凹溝に前記レンズカバーの先端を嵌め入れることにより、前記レンズカバーを前記滑り止め部材が下側に位置するようにして平面部に配置した状態で前記本体部が前記レンズカバーに回転可能に保持されるように構成したことを特徴とするプロジェクター。
【請求項３】
前記本体部の筐体の適宜箇所に紐材の一端が取付けられていると共に、前記レンズカバーに前記紐材の他端が取付けられており、前記紐材は、前記レンズカバーが前記筐体の底面の凹溝に対応する位置に配置される長さとされ、前記紐材によって前記レンズカバーが前記筐体の凹溝に対応する位置に配置されて位置決めされ、前記本体部を裏返すことなく正規な姿勢で前記筐体の凹溝に前記レンズカバーの先端が嵌め入れられるようにした請求項２に記載のプロジェクター。
【発明の詳細な説明】
【技術分野】
【０００１】
本発明は、本体部のレンズ部にレンズカバーを嵌めるようにしたプロジェクターに関し、特に、レンズカバーを本体部の筐体の底面に嵌めて、このレンズカバーにより本体部を回転可能に保持するようにしたプロジェクターに関するものである。
【背景技術】
【０００２】
従来のプロジェクターは、レンズ部に嵌められるレンズカバーと本体部とが紐で繋がっていた。レンズカバーをレンズ部より取り外してプロジェクターを動かす際に、プロジェクターが重いから片手で動かすことができずにレンズカバーがプロジェクターの下敷きになる場合が多かった。この状態では、プロジェクターがバランスを崩し、故障する虞があるという問題があった。また、レンズカバーは本体部のレンズ部に嵌められる以外にあまり活用されていなかった。
【０００３】
第１の従来技術を図５（ａ）（ｂ）（ｃ）に示す。この従来の保護カバー付きプロジェクターは、図５（ａ）（ｂ）（ｃ）に示すように、プロジェクターの本体ケース１０１の少なくとも一部を覆う保護カバー付きのプロジェクターにおいて、プロジェクターとして使用する際には、保護カバー１１１を、本体ケース１０１を載置する載置台として使用することが可能なようにし、載置台としての保護カバー１１１に本体ケース１０１を載置した際に、本体ケース１０１の傾動変位および水平回転変位が可能なように構成している。保護カバー１１１には円形の透穴１１５が形成され、この透穴１１５に本体ケース１０１の底面に形成された断面弧状の凸部１０４を嵌めいれることによって、本体ケース１０１を傾動変位及び水平回転変位が可能となるようにしていた。（例えば、特許文献１参照）。
【０００４】
ところが、これにおいては、保護カバー１１１を必要とすると共に、この保護カバー１１１に円形の透穴１１５を形成しなければならないという問題があった。
【０００５】
第２の従来技術を図６（ａ）（ｂ）に示す。この従来の液晶プロジェクターのレンズ保護装置は、図６（ａ）（ｂ）に示すように、把手２０３をレンズカバー２０４に設け、同把手２０３を握持して本体２０１を垂下することにより、レンズカバー２０４が自動的に回動または摺動してレンズ部２０２に被着され、レンズ部２０２を閉塞するので、レンズキャップ等の付け忘れがなく、確実に保護でき、使用時はレンズカバー２０４を移動することによりレンズ部２０２を開放することができるようにしている。（例えば、特許文献２参照）。
【０００６】
ところが、これにおいては、レンズカバー２０４はレンズ部２０２を保護するだけであり、本体２０１を回転可能に保持する回転機構を有するものではなかった。
【特許文献１】特開２００４−１０９３５９号公報
【特許文献２】特開平１１−１４９５８号公報
【発明の開示】
【発明が解決しようとする課題】
【０００７】
本発明は、上記従来の問題に鑑みてなされたものであって、本体部のレンズ部に嵌めるレンズカバーをそのままの形状を保ったままでプロジェクターの本体部の回転台として使用することができて、このレンズカバーによってプロジェクターの本体部を自由に回転させることができ、従来のように、プロジェクターの本体部を配置するときにレンズカバーが下敷きになることを防ぐことができるプロジェクターを提供することを目的としている。
【課題を解決するための手段】
【０００８】
本発明は、上記課題を解決するために提案されたものであって、請求項１に記載の発明は、本体部のレンズ部にレンズカバーを嵌めるようにしたプロジェクターにおいて、前記本体部の筐体の底面の略中央部に前記レンズカバーが係合する凹溝が形成され、この凹溝に前記レンズカバーの先端に形成された係止突起を係止する係止爪が形成され、前記レンズカバーの前面に滑り止め用のゴム材が固着されており、前記筐体の底面の前記凹溝に前記レンズカバーの先端を嵌め入れて前記係止突起と前記係止爪とを係合し、前記レンズカバーを前記ゴム材が下側に位置するようにして平面部に配置した状態で前記本体部が前記レンズカバーに回転可能に保持されるように構成したことを特徴としている。
【０００９】
請求項２に記載の発明は、本体部のレンズ部にレンズカバーを嵌めるようにしたプロジェクターにおいて、前記本体部の筐体の底面の略中央部に前記レンズカバーが係合する凹溝が形成され、前記レンズカバーの前面に滑り止め部材が固着されており、前記筐体の底面の前記凹溝に前記レンズカバーの先端を嵌め入れることにより、前記レンズカバーを前記滑り止め部材が下側に位置するようにして平面部に配置した状態で前記本体部が前記レンズカバーに回転可能に保持されるように構成したことを特徴としている。
【００１０】
請求項３に記載の発明は、請求項２に記載の発明において、前記本体部の筐体の適宜箇所に紐材の一端が取付けられていると共に、前記レンズカバーに前記紐材の他端が取付けられており、前記紐材は、前記レンズカバーが前記筐体の底面の凹溝に対応する位置に配置される長さとされ、前記紐材によって前記レンズカバーが前記筐体の凹溝に対応する位置に配置されて位置決めされ、前記本体部を裏返すことなく正規な姿勢で前記筐体の凹溝に前記レンズカバーの先端が嵌め入れられるようにした。
【発明の効果】
【００１１】
請求項１に記載の発明によれば、レンズカバーを本体部の筐体の底面の凹溝に嵌め入れることにより、本体部を回転可能に保持することができる。即ち、レンズカバーを回転台として使用することができ、プロジェクターの使用を便利にすることができる。更に、レンズカバーの先端の係止突起を筐体の凹溝に形成された係止爪に係止させることにより、レンズカバーが筐体から不用意に外れることを防止することができる。また、レンズカバーの前面の滑り止め用のゴム材によって、レンズカバーが回転することを阻止することができて本体部だけを自由に回転させることができる。
【００１２】
請求項２に記載の発明によれば、レンズカバーを本体部の筐体の底面の凹溝に嵌め入れることにより、本体部を回転可能に保持することができる。即ち、レンズカバーを回転台として使用することができ、プロジェクターの使用を便利にすることができる。また、レンズカバーの前面の滑り止め部材によって、レンズカバーが回転することを阻止することができて本体部だけを自由に回転することができる。滑り止め部材としてはゴム材やシート状のものなどを使用することができる。
【００１３】
請求項３に記載の発明によれば、本体部の筐体とレンズカバーを繋いでいる紐材によって筐体の底面の凹溝と対応する位置にレンズカバーを配置して位置決めした状態で本体部を正規な姿勢のままで筐体の凹溝にレンズカバーの先端を嵌め入れることができるから、重い本体部を裏返すことなく簡単且つ確実にレンズカバーの先端を筐体の凹溝に嵌め入れることができ、手間を省くことができる。尚、本体部を回転させるときには、紐材を本体部の筐体から取り外せば支障なく本体部を自由に回転することができる。
【発明を実施するための最良の形態】
【００１４】
以下、本発明に係るプロジェクターの実施の形態について、図を参照しつつ詳細に説明する。
【００１５】
図１は本発明の第１実施形態のプロジェクターにおけるレンズカバーを外した状態の斜視図、図２はレンズカバーをプロジェクターの本体部の筐体底面の凹溝に嵌め入れる手順を示し、（ａ）は本体部を裏返してレンズカバーを本体部の凹溝に嵌め入れる前の状態の一部断面した正面図、（ｂ）はレンズカバーを本体部の凹溝に嵌めいれた状態の一部断面した正面図である。
【００１６】
第１実施形態のプロジェクターは、図１に示すように、プロジェクター１の本体部２にレンズ部３が外側に露見するように配設され、このレンズ部３に有底円筒状のレンズカバー４が嵌められるようになっている。このレンズカバー４の前面には滑り止め用のゴム材５が固着されている。更に、図２（ａ）に示すように、レンズカバー４の先端にはその三方位置に内向きの係止突起４ａが形成されている。また、本体部２の筐体６の底面の略中央部には、レンズカバー４の先端部分が嵌め入れられる円形の凹溝７が形成され、この凹溝７にはレンズカバー４の係止突起４ａが係入係止される係止爪７ａが外向きに形成されている。図２（ｂ）に示すように、レンズカバー４の先端部分を本体部２の筐体６の底面の凹溝７に嵌め入れて係止突起４ａを係止爪７ａに係止すると、レンズカバー４が本体部２の筐体６の底面に抜けないように取付けられる。この状態では、レンズカバー４のゴム材５が置き台の上面等の平面部８に対して滑らないように接触された状態で配置されている。従って、本体部２は平面部８のレンズカバー４に対して回転可能に保持されることになる。
【００１７】
この第１実施形態によれば、レンズカバー４を本体部２の筐体６の底面の凹溝７に嵌め入れることにより、本体部２を回転可能に保持することができる。即ち、レンズカバー４を回転台として使用することができ、プロジェクター１の使用を便利にすることができる。更に、レンズカバー４の先端の係止突起４ａを筐体６の凹溝７に形成された係止爪７ａに係止させることにより、レンズカバー４が筐体６から不用意に外れることを防止することができる。また、レンズカバー４の前面の滑り止め用のゴム材５によって、レンズカバー４が回転することを阻止することができて本体部２だけを自由に回転させることができる。
【００１８】
図３は第２実施形態のプロジェクターにおけるレンズカバーを紐材を介して本体部の底面の凹溝と対応する位置に配置した状態の斜視図、図４は本体部の底面の凹溝にレンズカバーの先端を嵌め入れた状態を示す一部断面した正面図である。
【００１９】
この第２実施形態のプロジェクターは、図３に示すように、本体部２の筐体６のレンズ部３の近傍に紐材９の一端が取付けられ、レンズカバー４にこの紐材９の他端が取付けられている。この紐材９は、レンズカバー４が筐体６の底面の凹溝７に対応する位置に配置される長さとされている。従って、紐材９によってレンズカバー４が本体部２の筐体６の凹溝７に対応する位置に配置されて位置決めされ、図４に示すように、本体部２が正規な姿勢で筐体６の凹溝７にレンズカバー４の先端が嵌め入れられる。尚、紐材９の一端は筐体６のレンズ部３の近傍に形成された２つの孔部間に結束され、他端はレンズカバー４の底壁の近傍に形成された孔部に結束されている。
【００２０】
この第２実施形態によれば、重い本体部２を裏返すことなく簡単且つ確実にレンズカバー４の先端を筐体６の凹溝７に嵌め入れることができ、手間を省くことができる。尚、本体部２を回転させるときには、紐材９を本体部２の筐体６から取り外せば支障なく本体部２を自由に回転することができる。また、紐材９は筐体６に結束されている部分を解いて取り外すとよい。
【図面の簡単な説明】
【００２１】
【図１】本発明の第１実施形態のプロジェクターにおけるレンズカバーを外した状態の斜視図である。
【図２】レンズカバーをプロジェクターの本体部の筐体底面の凹溝に嵌め入れる手順を示し、（ａ）は本体部を裏返してレンズカバーを本体部の凹溝に嵌め入れる前の状態の一部断面した正面図、（ｂ）はレンズカバーを本体部の凹溝に嵌めいれた状態の一部断面した正面図である。
【図３】第２実施形態のプロジェクターにおけるレンズカバーを紐材を介して本体部の底面の凹溝と対応する位置に配置した状態の斜視図である。
【図４】本体部の底面の凹溝にレンズカバーの先端を嵌め入れた状態を示す一部断面した正面図である。
【図５】従来の保護カバー付きプロジェクターを示し、（ａ）はその折畳んだ状態の保護カバーを載置台として使用した状態の斜視図、（ｂ）は（ａ）の状態の断面図、（ｃ）は（ｂ）の状態から液晶プロジェクターの姿勢を調整した状態の断面図である。
【図６】従来の液晶プロジェクターのレンズ保護装置を示し、（ａ）はレンズカバーを本体の上面側に位置させた状態の斜視図、（ｂ）はレンズカバーでレンズ部を覆って保護した状態の斜視図である。
【符号の説明】
【００２２】
１      プロジェクター
２      本体部
３      レンズ部
４      レンズカバー
４ａ    係止突起
５      滑り止め用のゴム材
６      筐体
７      凹溝
７ａ    係止爪
８      平面部
９      紐材
【図１】
2007333994.tif 000003
【図２】
2007333994.tif 000004
【図３】
2007333994.tif 000005
【図４】
2007333994.tif 000006
【図５】
2007333994.tif 000007
【図６】
2007333994.tif 000008